(57)【要約】【課題】コアを保管した状態のままコアの全周を観察することができる円柱状アクリルコア容器を提供する。【解決手段】円柱状アクリルコア容器１０は、地質調査ボーリングにより得られたコアを所定の長さに切断したのちに収納して保管するためのものであって、半円筒状の透明なアクリル板からなる上部および下部部材１１，１２を具備する。上部および下部部材１１，１２の長さは、切断したコアの長さと略同じとされており、上部および下部部材１１，１２の内径は、コアの外径の略半分とされている。また、上部部材１１の一端部は、下部部材１２の一端部に支持軸１３によって回動自在に支持されており、上部部材１１の他端部には、内面側が凸部とされた係合爪が形成されているとともに、下部部材１２の他端部には、外面側が凸部とされた係合爪が形成されている。【選択図】図１
2016169016.tif 000002
【特許請求の範囲】
【請求項１】
地質調査ボーリングにより得られたコアを所定の長さに切断したのちに収納して保管するための円柱状アクリルコア容器（１０）であって、
半円筒状の透明なアクリル板からなる上部および下部部材（１１，１２）を具備する、
ことを特徴とする、円柱状アクリルコア容器。
【請求項２】
前記上部部材の一端部が、前記下部部材の一端部に支持軸（１３）によって回動自在に支持されていることを特徴とする、請求項１記載の円柱状アクリルコア容器。
【請求項３】
前記上部部材の他端部に、内面側が凸部とされた係合爪が形成されており、
前記下部部材の他端部に、外面側が凸部とされた他の係合爪が形成されており、
前記支持軸を中心として前記上部部材を回動させて前記下部部材に対して閉じたときに該上部部材の前記係合爪と該下部部材の前記他の係合爪とが係合するようにされている、
ことを特徴とする、請求項２記載の円柱状アクリルコア容器。
【請求項４】
前記上部および下部部材の長さが、前記切断されたコアの長さと略同じとされており、
前記上部および下部部材の内径が、前記切断されたコアの外径の略半分とされている、
ことを特徴とする、請求項１乃至３いずれかに記載の円柱状アクリルコア容器。
【発明の詳細な説明】
【技術分野】
【０００１】
本発明は、地質調査ボーリングにより得られたコアを収納して保管するのに好適な円柱状アクリルコア容器に関する。
【背景技術】
【０００２】
従来、地質調査ボーリングにより得られたコア（径＝６６ｍｍ）は木製のケースに収納して保管することが多く、コアを１ｍ単位で切断して、切断したコアを５本並べて保存するように構成された木製のコア箱が主に使用されている。
【０００３】
たとえば、下記の特許文献１には、コアを収納した複数の収納箱を多段に積み上げた際に下方に保管されたコアを他の収納箱を積み降ろすことなく容易に取り出せるようにするとともにコアの乾燥や腐食を防止してリアルタイムなコアの情報を伝達できるようにするために、耐腐食性を有する材料で製作された上面と一側面が開放された外箱内に所定の長さのコアを複数列設できるように仕切壁で区画した中仕切り枠を密封袋で密封して収容し、外箱の開放された上面に上扉を開閉自在に設け、外箱の開放された一側面に横扉を開閉自在に設けたコア収納箱が開示されている。
【先行技術文献】
【特許文献】
【０００４】
【特許文献１】特開２００３−３１２７４５号公報
【発明の概要】
【発明が解決しようとする課題】
【０００５】
しかしながら、近年、原子力発電所の活断層調査において破砕部の評価の重要性が高まっており、破砕部を含むコアについては、コアをコア箱から取り出してコアの全周を確認するとコアの破損が懸念されることから、コアをコア箱に保管した状態でコアの片面のみを観察するにとどまっており、破砕部の正常性についての情報が限られていた。そのため、コアを保管した状態のままコアの全周を観察することができるようなコア収納容器の要請があった。
【０００６】
また、たとえば、地質調査ボーリングにより得られたコアの長さが２ｍであった場合には、従来のコア箱では長さ＝１ｍに切断した２本のコアのみを収納して保管することになるため、スペースの無駄となっていた。
【０００７】
本発明の目的は、コアを保管した状態のままコアの全周を観察することができる円柱状アクリルコア容器を提供することにある。
【課題を解決するための手段】
【０００８】
本発明の円柱状アクリルコア容器は、地質調査ボーリングにより得られたコアを所定の長さに切断したのちに収納して保管するための円柱状アクリルコア容器（１０）であって、半円筒状の透明なアクリル板からなる上部および下部部材（１１，１２）を具備することを特徴とする。
ここで、前記上部部材の一端部が、前記下部部材の一端部に支持軸（１３）によって回動自在に支持されていてもよい。
前記上部部材の他端部に、内面側が凸部とされた係合爪が形成されており、前記下部部材の他端部に、外面側が凸部とされた他の係合爪が形成されており、前記支持軸を中心として前記上部部材を回動させて前記下部部材に対して閉じたときに該上部部材の前記係合爪と該下部部材の前記他の係合爪とが係合するようにされていてもよい。
前記上部および下部部材の長さが、前記切断されたコアの長さと略同じとされており、前記上部および下部部材の内径が、前記切断されたコアの外径の略半分とされていてもよい。
【発明の効果】
【０００９】
本発明の円柱状アクリルコア容器は、以下に示す効果を奏する。
（１）透明なアクリル板で構成されているため、コアを保管した状態のままコアの全周を観察することができるので、破砕部の面的な分布形態についての情報が増え、活断層評価に係る地質情報の拡充が見込める。
（２）所定の長さのコアを１本ずつ保管することができるため、たとえば２本のコアを保管すればよいような場合には、５本単位でコアを保管する従来のコア箱に比べて省スペース化が図れる。
（３）コアと円柱状アクリルコア容器とのクリアランスが少ないため、持ち運び時にコアを傷めにくい。
（４）必要なコアのみを持ち出すことができる。
（５）円柱状アクリルコア容器に水性ペンなどでコアの性状をメモできるため、柱状図作成や現場での説明の効率化が図れる。
【図面の簡単な説明】
【００１０】
【図１】本発明の一実施例による円柱状アクリルコア容器１０の構成を示す図であり、（ａ）はその正面図であり、（ｂ）はその左側面図である
【図２】コアを収納した円柱状アクリルコア容器１０の保管方法を説明するための図である。
【発明を実施するための形態】
【００１１】
上記の目的を、半円筒状の透明なアクリル板からなる上部および下部部材を備えた円柱状の透明なアクリルケースとすることにより実現した。
【実施例１】
【００１２】
以下、本発明の円柱状アクリルコア容器の実施例について図面を参照して説明する。
本発明の円柱状アクリルコア容器は、円柱状の透明なアクリルケースとしたことを特徴とする。
【００１３】
そのため、本発明の一実施例による円柱状アクリルコア容器１０は、図１（ａ），（ｂ）に示すように、半円筒状の透明なアクリル板からなる上部および下部部材１１，１２を具備する。
【００１４】
ここで、切断されたコアを円柱状アクリルコア容器１０に収納したときのクリアランスを少なくするために、上部および下部部材１１，１２の長さは約１ｍ（切断されたコアの長さと略同じ）とされているとともに、上部および下部部材１１，１２の内径は約３３ｍｍ（切断されたコアの外径＝６６ｍｍの略半分）とされている。
【００１５】
上部部材１１の一端部（図１（ｂ）図示左側の端部）は、下部部材１２の一端部（図１（ｂ）図示左側の端部）に支持軸１３によって回動自在に支持されている。
これにより、図１（ｂ）に矢印で示すように支持軸１３を中心として上部部材１１を回動させて上部部材１１を下部部材１２に対して開くことにより、長さ１ｍおよび径６６ｍｍの１本のコアを上方から下部部材１２に載置することができる。
【００１６】
上部部材１１の他端部（図１（ｂ）図示右側の端部）には、内面側が凸部とされた係合爪が形成されているとともに、下部部材１２の他端部（図１（ｂ）図示右側の端部）には、外面側が凸部とされた係合爪が形成されており、支持軸１３を中心として上部部材１１を回動させて下部部材１２に対して閉じたときに上部部材１１の係合爪と下部部材１２の係合爪とが係合するようにされている。
これにより、長さ１ｍおよび径６６ｍｍの１本のコアを上方から下部部材１２に載せたのちに上部部材１１を下部部材１２に対して閉じれば、この１本のコアを円柱状アクリルコア容器１０に収納することができる。
また、上部および下部部材１１，１２は透明なアクリル板から構成されているため、この１本のコアを円柱状アクリルコア容器１０に収納した状態のままその全周を観察することができる。
【００１７】
コアを収納した円柱状アクリルコア容器１０は、図２に示すように、上面が半円筒面（径が円柱状アクリルコア容器１０の外径と略同じ。）とされた架台２０に円柱状アクリルコア容器１０の下部部材１２を載置することにより保管する。
これにより、複数個の円柱状アクリルコア容器１０を平面状に並べて保管することができる。
【００１８】
なお、架台２０の４つの側面に連結手段を設けることにより、隣接のアクリルコア容器１０と連結できるようにしてもよい。
【００１９】
また、円柱状アクリルコア容器１０を挿入するための円筒状の孔（径が円柱状アクリルコア容器１０の外径と略同じ。）がマトリックス状に形成された容器保管棚を使用することにより、複数個の円柱状アクリルコア容器１０をマトリックス状に並べて保管することができるようにしてもよい。
【符号の説明】
【００２０】
１０  円柱状アクリルコア容器
１１  上部部材
１２  下部部材
１３  支持軸
２０  架台
【図１】
2016169016.tif 000003
【図２】
2016169016.tif 000004